(57)【特許請求の範囲】
【請求項１】
装置本体と、
前記装置本体との間にシート搬送路を形成する閉鎖位置と前記シート搬送路を開放する開放位置との間で開閉自在なように前記装置本体に回動自在に支持された開閉体とを備え、
前記開閉体は、前記シート搬送路を形成する互いに対向する第１壁面及び第２壁面のうち前記閉鎖位置において前記第１壁面を形成する本体部、及び前記装置本体によって形成される前記第２壁面との同一面を含め前記第２壁面よりも前記閉鎖位置において前記第１壁面の反対側に位置し、前記本体部に支持されたアーム部を有し、
前記開閉体と前記本体部は、前記装置本体の背面側において前記シート搬送路におけるシート搬送方向に平行な回動軸を中心に正面側端部が上下方向に揺動することで前記開放位置と前記閉鎖位置間で回動自在に支持され、
前記第１壁面を形成する前記本体部の下面は、正面側端部に正面側ほど登り傾斜する傾斜部を有する、シート搬送装置。
【請求項２】
前記開閉体は、前記装置本体の上面に形成された排紙トレイの一部を構成する、請求項１に記載のシート搬送装置。
【請求項３】
前記アーム部は、棒状である、請求項１又は２に記載のシート搬送装置。
【請求項４】
前記アーム部は、前記シート搬送方向における互いに異なる複数箇所に設けられる、請求項３に記載のシート搬送装置。
【請求項５】
前記アーム部は、板状である、請求項１又は２に記載のシート搬送装置。
【請求項６】
前記シート搬送路を通るシートを互いの間に挟み込んで搬送する第１搬送ローラ及び第２搬送ローラを備え、
前記第１搬送ローラは、前記本体部に支持され、
前記第２搬送ローラは、前記装置本体に支持される、請求項１から５のいずれかに記載のシート搬送装置。
【請求項７】
シートに画像を形成する画像形成部と、
請求項１から６のいずれかに記載のシート搬送装置とを備える、画像形成装置。
【発明の詳細な説明】
【技術分野】
【０００１】
この発明は、シート搬送路を開放自在な開閉体を有するシート搬送装置及びこれを備える画像形成装置に関する。
【背景技術】
【０００２】
複写機、プリンタ、ファクシミリ装置、及びこれらの複合機のようにシートに処理を施す画像形成装置は、シート搬送装置を備えている。シート搬送装置の中には、シート搬送路においてシートＪＡＭが発生した場合にそのシートをシート搬送路から取り除くＪＡＭ処理作業を行うために、シート搬送路を露出又は被覆するように装置本体に開閉自在に支持された開閉体を有するものがある。
【０００３】
例えば、本体搬送部と中間トレイの上ガイドとが連動して開放されるように構成されたシート搬送装置が知られている（例えば、特許文献１参照。）。この従来のシート搬送装置では、本体搬送部を開放することで中間トレイの上ガイドも連動して開放されるので、一方の手で本体搬送部を持ち上げて、他方の手で中間トレイに詰まったシートのＪＡＭ処理作業を行うことができるとされている。
【先行技術文献】
【特許文献】
【０００４】
【特許文献１】特開平８−１５１１６６号公報
【発明の概要】
【発明が解決しようとする課題】
【０００５】
しかし、従来のシート搬送装置では、本体搬送部及び中間トレイの上ガイドを開放することで中間トレイが露出するものの、中間トレイがシート搬送装置の奥まった箇所に設置されている場合は狭い箇所へ手を突っ込んでＪＡＭ処理作業をする必要があり、作業性が良くない。
【０００６】
この発明の目的は、ＪＡＭ処理作業の作業性を向上できるシート搬送装置及びこれを備える画像形成装置を提供することにある。
【課題を解決するための手段】
【０００７】
この発明のシート搬送装置は、装置本体、及び開閉体を備える。開閉体は、装置本体との間にシート搬送路を形成する閉鎖位置とシート搬送路を開放する開放位置との間で開閉自在なように装置本体に回動自在に支持される。開閉体は、シート搬送路を形成する互いに対向する第１壁面及び第２壁面のうち閉鎖位置において第１壁面を形成する本体部、及び装置本体によって形成される第２壁面との同一面を含め第２壁面よりも閉鎖位置において第１壁面の反対側に位置し、本体部に支持されたアーム部を有する。
【０００８】
この構成では、シート搬送路においてシートＪＡＭが発生した場合、開閉体の本体部を閉鎖位置から開放位置へ移動させることで、シート搬送路が外部に露出するとともに、本体部とともにアーム部が回動することで、アーム部が、ＪＡＭ処理作業の対象となるシートを持ち上げてきてシートを外部側へ引き出す。このため、実際にシートＪＡＭが発生した位置よりも外部側の位置でＪＡＭ処理作業を行うことができるようになる。よって、シートの視認性が向上するとともにシートの取り扱いが容易になる。
【０００９】
上述の構成において、開閉体は、シート搬送路におけるシート搬送方向に平行な回動軸を装置本体に支持されるように構成することができる。この構成では、開閉体を、正面側端部が上下方向に揺動するように開閉させることができる。
【００１０】
また、アーム部は、棒状であるように構成することができる。この構成では、シートＪＡＭを起こしたシートを棒状のアーム部が持ち上げてくる。棒状なので板状に比べてアーム部の材料コストを抑えることができる。
【００１１】
さらに、アーム部は、シート搬送方向における互いに異なる複数箇所に設けられることが好ましい。この構成では、シートが複数箇所で持ち上げられ、アーム部が１本の棒状である場合と比較してシートのより多くの部分が外部側へ引き出される。このため、シートの取り扱いがより容易になる。
【００１２】
また、アーム部は、板状であるように構成することができる。この構成では、アーム部が１本の棒状である場合と比較して、より広い面積でシートが持ち上げられて外部側へ引き出される。このため、シートの損傷が抑制される。
【００１３】
さらに、シート搬送路を通るシートを互いの間に挟み込んで搬送する第１搬送ローラ及び第２搬送ローラを備え、第１搬送ローラは、本体部に支持され、第２搬送ローラは、アーム部に支持されるように構成することができる。この構成では、シートが第２搬送ローラに引っ掛かっている場合でも、シートを外部側へ引き出し、視認性が良く取り扱いが容易な位置でＪＡＭ処理作業を行うことができる。
【００１４】
この発明の画像形成装置は、シートに画像を形成する画像形成部と、上述のいずれかの構成のシート搬送装置とを備える。
【００１５】
この構成では、シート搬送路においてシートＪＡＭが発生した場合、開閉体の本体部を閉鎖位置から開放位置へ移動させることで、シート搬送路が外部に露出するとともに、本体部とともにアーム部が回動することで、アーム部が、ＪＡＭ処理作業の対象となるシートを持ち上げてきてシートを外部側へ引き出す。このため、実際にシートＪＡＭが発生した位置よりも外部側の位置でＪＡＭ処理作業を行うことができるようになる。よって、シートの視認性が向上するとともにシートの取り扱いが容易になる。
【発明の効果】
【００１６】
この発明によれば、ＪＡＭ処理作業の作業性を向上させることができる。
【図面の簡単な説明】
【００１７】
【図１】この発明の第１実施形態に係るシート搬送装置を備えた画像形成装置の概略の構成を示す正面断面図である。
【図２】開閉体及び右ドアが閉鎖位置にあるシート搬送装置の左斜め正面からの斜視図である。
【図３】開閉体及び右ドアが開放位置にあるシート搬送装置の左斜め正面からの斜視図である。
【図４】シート搬送装置の開閉体が開放位置にある状態の側面断面図である。
【図５】シート搬送装置の開閉体が閉鎖位置にある状態の正面断面図である。
【図６】第２実施形態に係るシート搬送装置の開閉体が閉鎖位置にある状態の正面断面図である。
【図７】第２実施形態に係るシート搬送装置の開閉体のアーム部の平面図である。
【図８】第３実施形態に係るシート搬送装置の一部の側面断面図である。
【発明を実施するための形態】
【００１８】
［第１実施形態］
図１に示すように、第１実施形態に係るシート搬送装置１０は、画像形成装置１００に搭載されている。画像形成装置１００は、画像形成本体部１１０、及び後処理装置１２０を備えている。
【００１９】
画像形成本体部１１０は、画像読取部１１１、排紙トレイ１１２、画像形成部１１３、給紙部１１４、主用紙搬送路１１５、及び中継用紙搬送路１１６を備えている。画像読取部１１１、排紙トレイ１１２、画像形成部１１３、及び給紙部１１４は、上から下へこの順序で配置されている。なお、図１では、画像形成部１１３の一部の図示が省略されている。一例として、シート搬送装置１０は、画像形成部１１３で画像形成された用紙を後処理装置１２０へ搬送する中継搬送ユニットである。用紙は、シートの一例である。シートの他の例として、厚紙、ＯＨＰフィルム等が挙げられる。
【００２０】
画像読取部１１１と画像形成部１１３との間には、水平方向において柱状部１１７を残すように空胴部１１８が設けられている。主用紙搬送路１１５は、給紙部１１４から給紙した用紙を、画像形成部１１３を経由して、柱状部１１７から水平方向に空胴部１１８へ排出するように形成されている。
【００２１】
シート搬送装置１０は、空胴部１１８の底部に配置されている。主用紙搬送路１１５から空胴部１１８へ排出された用紙は、シート搬送装置１０の上面に積載される。シート搬送装置１０の上面が、排紙トレイ１１２を構成している。
【００２２】
中継用紙搬送路１１６は、主用紙搬送路１１５における排紙トレイ１１２への排出口と画像形成部１１３との間において主用紙搬送路１１５から分岐し、シート搬送装置１０の内部を通って、後処理装置１２０へ繋がるように延びている。中継用紙搬送路１１６は、この発明のシート搬送路に相当する。
【００２３】
後処理が施されない用紙は、主用紙搬送路１１５から排紙トレイ１１２へ排出される。後処理が施される用紙は、中継用紙搬送路１１６を通って後処理装置１２０へ搬送される。後処理装置１２０は、画像形成本体部１１０の側面に隣接配置され、画像形成本体部１１０から搬送されてきた用紙に、後処理を施す。
【００２４】
図２及び図３に示すように、シート搬送装置１０は、装置本体２０、開閉体３０、及び右ドア４０を備えている。開閉体３０及び右ドア４０は、装置本体２０の上面に対向するように配置されている。装置本体２０の上面と、開閉体３０及び右ドア４０との間に、中継用紙搬送路１１６が形成される。
【００２５】
開閉体３０の回動軸３１は、開閉体３０の背面側端部に設けられている。回動軸３１は、中継用紙搬送路１１６における用紙搬送方向Ｘに平行に配置されるように、装置本体２０の背面側端部に、回動自在に支持されている。これによって、開閉体３０は、回動軸３１を中心に正面側端部が上下方向Ｚに揺動することで、図２に示す閉鎖位置と図３に示す開放位置との間で開閉自在に構成されている。
【００２６】
右ドア４０は、開閉体３０よりも用紙搬送方向Ｘの上流側に配置されている。右ドア４０の回動軸４１は、右ドア４０の用紙搬送方向Ｘの上流側端部に設けられ、用紙搬送方向Ｘ及び上下方向Ｚにともに直交する奥行き方向Ｙに平行に配置されるように、装置本体２０に回動自在に支持されている。これによって、右ドア４０は、回動軸４１を中心に用紙搬送方向Ｘの下流側端部が上下方向Ｚに揺動することで、図２に示す閉鎖位置と図３に示す開放位置との間で開閉自在に構成されている。
【００２７】
開閉体３０及び右ドア４０が閉鎖位置に配置された状態において、装置本体２０の上面と開閉体３０及び右ドア４０との間の中継用紙搬送路１１６を、用紙が搬送される。
【００２８】
開閉体３０及び右ドア４０は、閉鎖位置から開放位置へ移動する方向に図示しないバネによって付勢されている。開閉体３０及び右ドア４０は、操作ボタン５１が作業者によって押下されることで、装置本体２０と開閉体３０及び右ドア４０のそれぞれとの係止が解除され、閉鎖位置から開放位置へ移動する。
【００２９】
図２に示すように、開閉体３０及び右ドア４０が閉鎖位置に配置された状態において、開閉体３０及び右ドア４０によって中継用紙搬送路１１６が被覆され、開閉体３０及び右ドア４０の上面が排紙トレイ１１２を構成する。
【００３０】
図３に示すように、開閉体３０及び右ドア４０が開放位置に配置された状態において、中継用紙搬送路１１６が外部に開放される。但し、シート搬送装置１０は、空胴部１１８内に配置されているので、装置本体２０に対して開閉体３０を大きく開くことができない。このため、開閉体３０を開放位置に配置しても、中継用紙搬送路１１６に対する視認性及び作業性は、ＪＡＭ処理作業を行うためには十分ではない。
【００３１】
図４及び図５に示すように、開閉体３０は、本体部３２及びアーム部３３，３４を有している。本体部３２の下面は、中継用紙搬送路１１６を形成する互いに対向する上壁面及び下壁面のうち、閉鎖位置において上壁面を構成している。本体部３２は、下面のうち正面側端部に、正面側ほど登り傾斜する傾斜部３２１を有することが好ましい。開閉体３０を開放位置に配置させた場合に、中継用紙搬送路１１６の視認性の向上及び開閉体３０と装置本体２０との間へ作業者が手を入れやすくするためである。中継用紙搬送路１１６の下壁面は、装置本体２０の上面で構成されている。
【００３２】
アーム部３３，３４は、本体部３２の下面に所定間隔をあけて対向するように配置されている。アーム部３３，３４の背面側端部は、本体部３２の背面側端部に固定及び支持されている。この第１実施形態では、アーム部３３，３４は、それぞれ棒状の部材で構成されている。アーム部３３，３４はともに、奥行き方向Ｙに平行に配置されている。アーム部３３，３４は、用紙搬送方向Ｘにおける互いに異なる箇所に設けられている。なお、アーム部３３，３４は、２本備えられることに限定されず、１本又は３本以上備えられていてもよい。
【００３３】
図５に示すように、アーム部３３，３４は、閉鎖位置において、中継用紙搬送路１１６の下壁面との同一面を含め、中継用紙搬送路１１６の下壁面よりも上壁面の反対側即ち下側に配置される。
【００３４】
また、図４に示すように、中継用紙搬送路１１６において用紙Ｐを搬送する搬送ローラ対のうち、駆動ローラ６１，６２は装置本体２０に支持され、従動ローラ６３，６４は開閉体３０の本体部３２に支持されている。開閉体３０が閉鎖位置に配置された状態において、駆動ローラ６１と従動ローラ６３とが圧接して互いの間に用紙Ｐを挟み込んで搬送し、駆動ローラ６２と従動ローラ６４とが圧接して互いの間に用紙Ｐを挟み込んで搬送する。
【００３５】
シート搬送装置１０によれば、中継用紙搬送路１１６においてシートＪＡＭが発生した場合、開閉体３０の本体部３２を閉鎖位置から開放位置へ移動させることで、本体部３２とともにアーム部３３，３４が回動し、アーム部３３，３４が、ＪＡＭ処理作業の対象となる用紙Ｐを中継用紙搬送路１１６の下側から上方へ持ち上げてくる。即ち、アーム部３３，３４が、用紙Ｐを外部側へ引き出してくる。このため、実際にシートＪＡＭが発生した位置よりも外部側の位置でＪＡＭ処理作業を行うことができるようになる。よって、シートＪＡＭを起こした用紙Ｐの視認性が向上するとともに用紙Ｐの取り扱いが容易になる。したがって、ＪＡＭ処理作業の作業性を向上させることができる。
【００３６】
また、アーム部３３，３４が棒状なので、板状に比べてアーム部３３，３４の材料コストを抑えることができる。さらに、アーム部３３，３４が、用紙搬送方向Ｘにおける互いに異なる複数箇所に設けられることで、用紙Ｐが複数箇所で持ち上げられ、アーム部３３，３４が１本である場合と比較して用紙Ｐのより多くの部分が外部側へ引き出される。このため、用紙Ｐの取り扱いがより容易になる。
【００３７】
［第２実施形態］
図６及び図７に示すように、第２実施形態として、シート搬送装置１０Ａは、棒状のアーム部３３，３４に代えて、板状のアーム部３５を採用することもできる。
【００３８】
アーム部３５は、本体部３２の下面に所定間隔をあけて対向するように配置されている。アーム部３５の背面側端部は、本体部３２の背面側端部に固定及び支持されている。アーム部３５は、閉鎖位置において、中継用紙搬送路１１６の下壁面よりも下側に配置されている。
【００３９】
アーム部３５は、閉鎖位置において、駆動ローラ６１，６２，６５，６６に対応する位置に、孔部７１，７２，７３，７４を有している。孔部７１〜７４は、開閉体３０が閉鎖位置に配置された状態において、駆動ローラ６１，６２，６５，６６のそれぞれの一部を挿通させ、中継用紙搬送路１１６を通る用紙に駆動ローラ６１，６２，６５，６６が圧接することを可能にする。
【００４０】
シート搬送装置１０Ａによれば、アーム部３５が、１本の棒状である場合と比較して、より広い面積で用紙が持ち上げられて外部側へ引き出される。このため、用紙の損傷が抑制される。
【００４１】
［第３実施形態］
図８に示すように、第３実施形態に係るシート搬送装置１０Ｂは、駆動ローラ６１，６２，６５，６６がアーム部３５に支持される点を特徴とし、この特徴以外の点はシート搬送装置１０Ａと実質的に同様に構成されている。
【００４２】
駆動ローラ６１，６２，６５，６６とそれぞれ対をなす従動ローラ６３，６４，６７，６８（但し、従動ローラ６７，６８は図示されていない。）は、開閉体３０の本体部３２に支持されている。以下、駆動ローラ６１と従動ローラ６３とについて説明するが、他の駆動ローラ６２，６５，６６及び従動ローラ６３，６４，６７，６８についても、駆動ローラ６１及び従動ローラ６３と実質的に同様に構成されている。
【００４３】
駆動ローラ６１と従動ローラ６３とは、開閉体３０が閉鎖位置に配置された状態において中継用紙搬送路１１６内で互いに圧接するように配置されている。
【００４４】
駆動ローラ６１の駆動軸には、ギヤ７５が固定されている。また、装置本体２０のうち開閉体３０が閉鎖位置に配置された状態で駆動ギヤ７５が対向する位置に、ギヤ７６が配置されている。ギヤ７６は、モータ７７から駆動力を供給されることで回転する。開閉体３０が閉鎖位置にある状態において、ギヤ７６とギヤ７７とが噛み合うことで、モータ７７の駆動力がギヤ７６，７７を経て駆動ローラ６１に伝達される。駆動ローラ６１が回転すると、駆動ローラ６１にともなって従動ローラ６３も回転する。これによって、駆動ローラ６１と従動ローラ６３との間で用紙が搬送される。
【００４５】
シート搬送装置１０Ｂでは、駆動ローラ６１，６２，６５，６６がアーム部３５に支持されているので、用紙Ｐが駆動ローラ６１，６２，６５，６６のいずれかに引っ掛かっている場合でも、用紙Ｐの損傷を防止しつつ用紙Ｐを中継用紙搬送路１１６よりも外部側へ引き出し、視認性が良く取り扱いが容易な位置で、ＪＡＭ処理作業を行うことができる。したがって、ＪＡＭ処理作業の作業性を向上させることができる。
【００４６】
また、用紙Ｐが駆動ローラ６１と従動ローラ６３との間に挟み込まれていても、開閉体３０を開放させることで、用紙Ｐを、用紙搬送方向Ｘに平行方向に引っ張り出すことができる。
【００４７】
なお、上述のシート搬送装置１０Ｂの特徴は、シート搬送装置１０に適用することもできる。
【００４８】
上述の実施形態のそれぞれの技術的特徴を互いに組み合わせることで、新たな実施形態を構成することが考えられる。
【００４９】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００５０】
１０，１０Ａ，１０Ｂ…シート搬送装置
２０…装置本体
３０…開閉体
３１…回動軸
３２…本体部
３３，３４，３５…アーム部
６１，６２，６５，６６…駆動ローラ（第２搬送ローラ）
６３，６４…従動ローラ（第１搬送ローラ）
１００…画像形成装置
１１０…画像形成本体部
１１３…画像形成部
１１６…中継用紙搬送路（シート搬送路）
１２０…後処理装置
Ｘ…用紙搬送方向（シート搬送方向）
Ｐ…用紙（シート）
【図１】
0006679240.tif 000002
【図２】
0006679240.tif 000003
【図３】
0006679240.tif 000004
【図４】
0006679240.tif 000005
【図５】
0006679240.tif 000006
【図６】
0006679240.tif 000007
【図７】
0006679240.tif 000008
【図８】
0006679240.tif 000009